(57)【要約】【課題】  テレビ番組には位置情報が関係するものが非常に多いが、現状ではその位置情報は非常に曖昧なもので、視聴者、放送局双方にとって不都合であった。またパソコン上には地図サイトは多くあるが、目的の地図サイトにたどり着くのに非常に煩雑な手間と時間を要する状態であり、手軽に誰もが地図サイトにアクセスできる手法が必要である。【解決手段】  デジタル放送テレビにおいて、番組中に位置情報を埋め込んでおき、テレビのリモコン操作によってその位置情報が地図サーバーに送信され、地図サーバーは該当部分の地図を選択しテレビに返送するようにする。また地図専門チャンネルを設置して、テレビのリモコン装置を使って地図を検索し、拡大や縮小も容易にできる地図サイトを構築する。【選択図】図１
2008295001.tif 000002
【特許請求の範囲】
【請求項１】
デジタルテレビ放送システムにおいて、視聴中の番組に位置情報がある場合にその位置に対応した緯度経度またはそれに変わる位置情報を合わせて送信し、視聴中の番組画面に位置情報がある旨の表示または該位置情報を表示しておくステップと、
その表示があった際にテレビ受像機の入力装置を操作することによって、当該位置情報が地図サーバーに送信され、受信した地図サーバーはその情報から当該部分の地図を選択してテレビに返信することによってテレビ画面の画面が切り替わりその地図が表示されるステップと、
さらにテレビ受像機の入力装置を操作することによって地図の拡大、縮小およびスクロール情報を地図サーバーに送信し、同サーバーは受信した情報が指定する該当部分の地図を選択してテレビ受像機に返送して表示するステップを持つテレビ放送システム
【請求項２】
地図情報を送信する放送局と、該地図情報を受信可能なテレビ受像機からなるデジタル放送システムにおいて、テレビ受像機が該放送局を選択すると地図検索画面が表示されるステップと、該地図検索画面上で、テレビ受像機の入力装置を操作することによって地図検索、地図の拡大、縮小、スクロール情報を地図サーバーに送信し、地図サーバーは受信した情報に対応する地図をテレビ受像機に配信することを可能にした放送システム
【請求項３】
請求項１および２の放送システムにおいて、位置情報と関係付けをした情報を収納するサーバーを有し、テレビ受像機の入力装置の操作によって必要な情報の種別を選択するステップと、該操作がなされた時にテレビ受像機から該サーバーに対して、選択された情報の種別と共に表示中の画面の位置情報が送信され、該サーバーは受信した情報種別と位置情報から内部に収納した情報のうち関係する情報を選択してテレビ受像機に送信するようにした放送システム
【請求項４】
請求項３のサーバーにおいて収納された情報のうち、広告情報については情報の種別選択なしに地図を検索した時点で該位置情報をテレビ受像機から該サーバーに自動的に送信し、受信した位置情報と広告の位置情報を比較して関連する広告を地図画面の一部に表示、または一定の時間間隔で自動的に表示することが可能な放送システム
【請求項５】
デジタル放送番組に放送中の画面の印刷可否の情報を付加するステップと、テレビ受像機の入力装置を操作することによって放送中の画面が印刷可能なスイッチを設けておくステップと、テレビ受像機に印刷用の出力端子を設けておくステップからなり、印刷可の情報が付加された番組または印刷不可の情報が無い番組の画面印刷を可能としたテレビ放送システム
【発明の詳細な説明】
【発明の技術分野】
【０００１】  本発明はデジタル放送テレビにおいて、テレビ受像機の入力装置を操作することによって指定の位置の地図を表示し、必要に応じてその地図を拡大、縮小、スクロールさせて表示できるようにしたテレビ放送システムに関する。
【背景技術】
【０００２】  ニュース、旅行、グルメ番組他テレビ放送には位置情報が含まれる番組が非常に多い。ところが、例えば日航機が墜落した御巣鷹山、あるいは上九一色村という地名は連日のように長期間に亘って放送され続けたにもかかわらず、その場所がどこなのか分かる人は近隣の人だけで殆どの人は分からなかったと思われる。また最近、旅行やグルメ番組が非常に多く、折角行って見たいと思っても非常に曖昧な地図や○○県の△△村のような大雑把な地名が短時間しか表記されない。そのため視聴者にとってこれら方法では位置情報としては殆ど役に立たないのが実情である。これ以外にも毎日かなり数多くのテレビ番組において「位置」に関係する情報が含まれており、視聴者がもっと正確な場所を知りたい、その地図が欲しいという潜在的なニーズはかなり多い筈である。テレビ局側としてもニュース番組などでは正確な位置情報を発信して番組の品質を向上させる必要性を感じている筈であり、正確な場所が分かる旅行番組やグルメ番組は、より効果の高い情報源となりＣＭ収入のアップに繋がる可能性もある。【０００３】  最近インターネットサイト上には数多くの地図検索サイトがあり、住所や郵便番号等から目的地の地図を検索できるようになっている。ところがこの欠点はわざわざパソコンを立ち上げ、インターネットに接続し、ジャンルを選んでといったような時間と手間がかかるためにちょっと見たいという手軽さがないことである。また家族のそれぞれが自分のパソコンを持っている訳ではなく、誰もが手軽にパソコンの地図サイトにアクセスすることができる状況ではない。【０００４】  ２０１１年には従来のアナログ放送が地上波デジタル放送に完全移行し、それによると放送局と視聴者が双方向に情報交換が可能になり、様々な情報サービスが開始されると言われている。既に先行している地域もあり、ケーブルテレビでは地域を選んで見ることができる天気予報や文字放送によるニュースチャンネルがあり、１週間分の番組予定表もあって録画予約もできる。また視聴者参加のクイズ番組なども登場してテレビによる双方向の情報受発信はどんどん進行している。テレビがパソコンより優れている点は即時性、簡易性であり、家族の誰もが容易に天気予報やニュースをいつでも見ることができる。そこでテレビに容易に誰もが地図にアクセスできるサイトを設けることが考えられる。【０００５】  ところが天気予報やニュース番組と地図のサイトでは違った手法が必要になる。すなわち天気予報やニュースチャンネル等は他のチャンネルとは全く独立しているが、地図サイトの場合は現在視聴中の番組内に出てきた場所の地図を見たいというニーズから来るため元の番組とリンクさせる必要があり、このリンクの手法をどうするかという問題がある。【０００６】  どんな場所でも位置情報を正確に表現するには、位置情報をデジタル化することが効果的である。そして、あらゆる面でグローバル化した今日においては単に日本国内だけに限らず全世界に通用するデジタル化された位置コードが必要になっている。この要求に応えるものとして平成１０年  特願第３７６０２６号  名称「世界メッシュコードの作成法および世界メッシュコードおよび国際出願ＰＣＴ／ＪＰ２００４／００９���０６「座標変換モジュール」（以下Ｎコードと称する）が開示されている。【０００７】
【特許文献１】  平成１０年  特願第３７６０２６号  名称「世界メッシュコードの作成法および世界メッシュコード
【特許文献２】  国際出願  ＰＣＴ／ＪＰ２００４／００９００６  名称「座標変換モジュール」
【０００８】  開示内容によると、Ｎコードは緯度経度と完全互換のコード系で、全世界対応になっており、日本国内で使う場合、１０桁表示で５０ｍ、１２桁なら５ｍの精度で表現できる。このうち最初の４桁はユニット番号と称しており、たとえば東京２３区は全域が４９８６で示される。４９８６の領域は東京２３区、川崎市、横浜市を包含する広さがあり、電話市外局番の０３よりも遥かに広いエリアをカバーできる。よって０３と聞くと誰もが東京だと分かるように、４９８６と聞くと誰もが直ぐに東京近辺だと分かるようになる。よって新宿のレストランの場所をメモするのはこのユニット番号を省いて僅か６桁の数字をメモしておくだけで５０ｍ、８桁なら５ｍの精度で正確な位置を記録できることになる。既にＮコード検索はパソコン上で日本全国どこでも可能になっており、一部地域では紙地図上でも検索が可能になっている。またＮコードは全世界対応になっているため海外の旅行番組やニュース番組にも応用が可能であり、非常に汎用性の高い手法である。なお、国内向けの位置検索用の数値コードとしては株式会社デンソーのマップコードや地域メッシュコードなどもある。
【発明の開示】
【発明が解決しようとする課題】
【０００９】  テレビを視聴中にその正確な位置が知りたいと思った時に、画面を地図サイトに切り替える方法として、視聴中の番組に位置情報を埋め込んでおき、視聴中の番組に地図情報がある場合にはテレビ受像機の入力装置（キーボードやマウスによる入力装置であっても良いが以下の記述においてはリモコン装置とする）を操作して、その位置情報から目的の位置の地図が表示されるようにすればよい。ところが番組を見ている時に地図画面に切り替えるのは煩わしいとか、グルメ番組などでは次々に店が紹介されるので、その都度地図を見るのでなく地図は後で見たいというニーズが生じる。よって単に画面の切り替えだけではこういった要求に応えられない。そのために録画をしておけば良いかというと、常に録画をしながらテレビを見ているわけでもなく、急に思ってその時に録画を始めてもビデオの起動時時間がかかるため間に合わない。【００１０】  地図は好きな時に見たいとなると、後でその位置を簡単に検索できるようにしておく必要がある。それには後で検索するためのキーになるものを番組画面の一部に表示しておく必要がある。一つの方法としてもっと詳しい住所や地名を表示することが考えられるが欠点は人が住んでいる所にしか対応できないことである。すなわち御巣鷹山の位置は従来の方法では表現しにくく、冗長で不正確でありメモを取るにも困ることになる。【００１１】  そこで検索を容易にするために位置情報を数値化し、この番号を地図サイトの検索キーにするという手法が考えられる。この手法の利点はリモコン装置には数字キーがついており、これを利用できるからである。そこで表示する数字キーにどんなものを利用するのかということが問題となる。
【課題を解決するための手段】
【００１２】  そこで課題を解決する方法として以下のようにする。
デジタルテレビ放送システムにおいて、視聴中の番組に位置情報がある場合にその位置に対応した緯度経度またはそれに変わる位置情報を埋め込んでおき、視聴中の番組画面に位置情報がある旨の表示または該位置情報をＮコードまたはこれに代わる方法で表示しておくステップと、
その表示があった際にリモコン装置を操作することによって、当該位置情報が地図サーバーに送信され、受信した地図サーバーは当該部分の地図を選択してテレビに返信することによってテレビ画面が切り替わり地図が表示されステップと、
リモコン装置を操作することによって地図の拡大、縮小およびスクロール情報を地図サーバーに送信し、同サーバーは受信した情報から該当部分の地図から適当な縮尺率の地図を選択してテレビに返送して表示し、視聴者の要求に応じて縮尺率の変更、スクロールが可能になるようにしたテレビ放送システムおよびテレビ受像機とする。【００１３】  地図情報を送信する放送局と、該地図情報を受信可能なテレビ受像機からなるデジタル放送システムにおいて、テレビ受像機が該放送局を選択すると地図検索画面が表示されるステップと、該地図検索画面上で、テレビ受像機の入力装置を操作することによって地図検索、地図の拡大、縮小、スクロール情報を地図サーバーに送信し、地図サーバーは受信した情報に対応する地図をテレビ受像機に配信することを可能にした放送システムとする。【００１４】  上記デジタル放送システムにおいて、位置情報と関係付けをした情報を収納するサーバーを有し、テレビ受像機の入力装置の操作によって必要な情報内容を選択するステップと、該操作がなされた時にテレビ受像機から該サーバーに対して表示中の画面の位置情報が送信され、該サーバーは受信した位置情報から内部に収納した情報のうち、その位置情報に関係する情報を選択してテレビ受像機に送信するようにした放送システムとする。【００１５】  上記の情報を収納したサーバーに、広告と位置情報とをセットにして蓄積した情報を収納し、視聴者が地図を検索した時に該位置情報をテレビ受像機から該サーバーに自動的に送信し、受信した位置情報と広告につけられた位置情報を比較して、関連する広告を地図画面の一部に表示、または一定の時間間隔で自動的に表示することが可能な放送システムとする。【００１６】  上記サーバーにおいて収納された情報のうち、広告情報については情報の種別選択なしに地図を検索した時点で該位置情報をテレビ受像機から該サーバーに自動的に送信し、受信した位置情報と広告の位置情報を比較して関連する広告を地図画面の一部に表示、または一定の時間間隔で自動的に表示することが可能な放送システムとする。【００１７】  放送中の番組に番組画面の印刷可否の情報を付加するステップと、テレビ受像機の入力装置を操作することによって放送中の画面が印刷可能なスイッチを設けておくステップと、テレビ受像機に印刷用の出力端子を設けておくステップからなり、印刷可の情報が付加された番組または印刷不可の情報が無い番組の画面印刷を可能としたテレビ放送システムとする。
【発明による効果】
【００１８】  ニュース、旅行、グルメ番組等テレビ番組の中には位置情報が非常に多い。そして現状のテレビの位置情報は住所、地名あるいは非常に大雑把な地図を表示している。しかし住所や地名は規則性も無く、近隣のものにしか分からないローカル情報であり、地図は短時間しか表示できないために大胆に省略、デフォルメされ、道路や建物の太さなども実際のイメージとかなり違うことが多い。よって近隣の者でさえどう見て良いのか分からない事が普通で、結局殆どの視聴者はどこか分からずじまいに終わっている。放送局としても正確な情報を伝えるべきニュース番組で正確な位置を視聴者に知らせる必要が無いなどとは決して考えてはおらず、現状では知らせたくても位置を正確かつ簡単に表現する良い方法が無かったに過ぎないのである。
また最近、旅行番組やグルメ番組が非常に多く、行ってみたい場所が数多く紹介されるが、折角紹介されても、あまりに大雑把な情報で、特に海外旅行番組などになると、国名を聞いてもアフリカなのか南米なのかといったことさえ分からないような状態であるためにただ漫然と「きれいだな」「行ってみたいな」と思うだけで、結局どの観光地も店にも行かず仕舞いで終わってしまう。このため紹介された観光地や店舗としても客に来てもらえないのであれば広告効果が低いために、テレビ局としてもＣＭ料金のアップに繋がらないことになる。
【００１９】  そこで、本発明を使うと、視聴中の番組に位置情報有がある旨の表示がある場合に、リモコン操作を使って地図サイトに切り替えることによって適当な縮尺率の地図が表示され、さらにリモコンを使って地図を拡大、縮小、あるいは地図をスクロールさせて周辺情報も見ることができるようにすることができる。すると例えば日航機の墜落地点の御巣鷹山が群馬県の何処という位置が即座に分かり、表示にＮコードを使うと数字の違いから方向や距離が分かるため、富士山との位置関係や散乱した機体や救出された少女の位置関係はどんなだったかということも正確に推定することが可能になり、ニュースの臨場感は格段に向上することになる。また旅行番組などを見ている場合に地図があると、そこにはどんな交通手段、どんな経路を使って行けば良いか、また周辺にはどんな観光地があるのかといった事も分かるため旅行計画も立てやすく、地図の表示効果は非常に高いと考えられる。この際に視聴中の番組を画面の隅に縮小表示させておき、地図を見終われば元の番組に戻ることができるようにすればより便利である。
【００２０】  以上の手法は番組視聴中に地図情報がある場合に地図サイトに切り替えてみる方法である。ところがテレビを見ているとき以外でも、新聞や雑誌を見ている時などに地図で位置を調べたいといったニーズがあると考えられる。こんなくつろいだ時のちょっと見たいという要求に対して、従来はリビングから書斎に行ってパソコンを立ち上げ、インターネットの地図サイトに接続して検索をしなければならず、到底ちょっと見るという要求は満たされなかった。これに対し、本発明ではテレビに地図専門チャンネルを設けて、テレビをつけてそのチャンネルを選べば、リモコン操作で好きな時に好きな位置を手軽に検索できるようになる。
【００２１】  そして、この検索手法として本発明ではＮコードを利用すると効果的である。理由は従来のインターネット地図サイトのように住所等の検索方法によってもある程度の目的を達せられるが、住所は基本的に人が住んでいる所しか対応できない。そのために災害情報の場合は特に支障をきたす事になる。すなわち御巣鷹山の墜落現場の位置は従来の方法では正確に表現できないのである。これに対してＮコードは山岳、河川敷、海岸線、海洋等どんな場所でも対応が可能であるからである。
【００２２】  明日から旅行をしようと旅行計画を立て、旅行先の地図と天気予報はどうなっているかを知りたいと思った時に、従来の方法では、先ずパソコンを立ち上げ、インターネットに接続し、次にジャンル分けから地図サイトを選択し、府県名、市町村、住所という順に位置を特定して目的の地図を表示させ、次にその場所の天気予報を知りたいとすると再度インターネットのポータルサイト元に戻ってジャンル分けから新たに天気予報を選択し、同様にして位置を入力するという非常に煩雑な作業になった。それに対して本発明のごとく、テレビを点けて、地図チャンネルを選択し、その検索画面にＮコードを入力すると目的地の地図を見ることができ、その画面の一部にある天気予報の表示をクリックするとその場所の天気予報を容易に見ることが可能になり、一連の作業は従来とは比較にならないくらいに手軽で効率的に行うことができる。
【００２３】  また、テレビ受像機に出力端子を設けておき、プリンターと接続してリモコンを操作によって地図画面や天気予報を印刷できるようにしておくと便利である。また、リモコン装置に印刷ボタンがあって、それを操作すれば単に地図や天気予報以外であっても画面のコピーができるようにすればさらに便利である。
【００２４】  例えば、温泉地が紹介される旅行番組などにおいて、紹介される旅館は１軒だけしかなくても、その周辺には必ず多くの旅館やホテル、土産物、特産品店がある。よってこれらの広告に位置情報を付加してサーバーに収納しておけば、紹介された旅館の位置情報から周辺のこれらの広告を画面の一部に表示する、あるいは一定時間ごとにＣＭ挟み込むことが可能になる。すると旅行客も宿泊先や土産物の選択肢が増えて旅行計画も立てやすく、そこに実際に来てもらえる可能性のある視聴者に対して集中的に広告を送ることができるため広告効果が大きくスポンサーにとって好都合である。また放送局はテレビ取材時に地元の観光協会などを訪問することにより容易に広告を得ることが可能になるだけでなく、テレビ放映がその観光地全体の活性化にも繋がるという効果もある。
【発明を実施するための最良の形態】
【００２５】  図１は本発明を実施するための情報の流れを示す例である。
視聴中のテレビ番組に位置情報がある場合に、放送局（イ）はその画面に位置情報を埋め込んでおき、テレビ受像機（ハ）の画面の隅に位置情報がある旨の表示、または図のようにＮコード等で位置情報が表示される番組を▲１▼として放送する。図１の表示例ではＮコードで東京地区の位置が５０ｍの精度で表示されていることになる。そして視聴者が今度もし東京に行くことがあったらあの店で食事をしようと思っても、あえてその時に地図を見たいとまでは考えない。そんな時にその場所を簡単にメモすることができると便利である。そんな時Ｎコードの場合、４９８６／１２３−４５６のうち、４９８６は東京と分かっているから省略して後の６桁をメモするだけで５０ｍの精度で位置を記録できるので非常に簡単である。
またニュース番組を見ているような時には、どんな所で起こったのかと直ぐに地図を見たくなる。その時にはリモコン装置（ニ）を使って▲２▼の操作をすることによって、画面に埋め込まれた位置情報▲３▼が地図サーバー（ロ）に送信され、同サーバーは適当な縮尺率のその場所の地図を選択して▲４▼のようにテレビに送信する。それによってテレビ受像機の画面は（ホ）のように地図画面に切り替わり、それまで視聴していた番組が画面の隅に表示されるようにする。そして、視聴者が地図を拡大、縮小し、周辺を見たいといった場合にはリモコン装置を使ってその情報を▲５▼としてテレビに送る。この情報が▲６▼として再び地図サーバー（ロ）に送られ、同サーバーは視聴者の要求に応じた地図をテレビ受像機（ホ）に配信することができる。【００２６】  図２は、通常番組を視聴中ではなく、任意の時に地図が見たい場合、例えば以前にテレビ番組で見て位置をメモしてあるレストラン行きたい、あるいは旅行雑誌を見ていてそこに住所やＮコードが出ているので地図を見たいといった時に、地図チャンネルにアクセスして地図を見る場合の情報の流れである。
先ず、地図チャンネル局（ヘ）は地図検索画面▲９▼を常時送信しておく。地図が見たくなった視聴者は▲８▼の操作で地図チャンネルを選択することによって▲９▼の検索画面を見る。次に視聴者はその検索画面上でリモコン装置（ル）を使って▲１０▼の位置情報を入力する。なお、この地図検索画面にはＮコード検索だけでなく、住所をプルダウン方式で選択したり郵便番号、マップコードなど他の検索方法があっても良い。そしてその位置情報が▲１１▼として地図サーバー（ト）に送られる。以後▲１２▼▲１３▼▲１４▼▲１５▼の流れは▲４▼▲５▼▲６▼▲７▼の流れと同様となる。【００２７】  また旅行計画を立てている時などで地図を見るような場合には、旅行先の天気予報が気になるところである。この場合に図２のテレビ受像機の画面のように、表示された地図画面の一部に、天気予報を見るあるいはその地図を印刷するなどが選択できる画面を設定しておく。そして視聴者が天気予報を見たい時にはリモコン装置（ル）を操作して▲１６▼の操作で天気予報の部分を選択することによって、その地図画面の位置情報が▲１７▼として天気予報サーバー（チ）に送信され、天気予報サーバー（チ）は受信した位置情報から、それに該当する地区の天気予報を選択して▲１８▼としてテレビ受像機（ヌ）に返信する。このことは図１において地図画面に切り替えた時にも同じように天気予報を見られるようにしても良い。【００２８】  なお、図１、図２においてはテレビ受像機と各サーバー間の情報の流れは直接行うようになっている。これは放送業界全体が１つのサーバーを共通利用する形態を想定したものであるが、これらのサーバーは放送局それぞれが独自に持って、▲３▼▲４▼▲６▼▲７▼▲１１▼▲１２▼▲１４▼▲１５▼▲１７▼▲１８▼の情報の流れが、それぞれの放送局や地図チャンネル局経由であっても良い。【００２９】  また、例えば旅行、グルメ番組等では、紹介された地域の周辺には必ず数多くの店舗が存在しており、視聴者がその地域の地図を見に行く時に、その周辺の広告が出るようにすると不特定多数を相手に発信するのに比べて広告としての効果が非常に高くなる。よって広告用サーバー（リ）に位置情報をセットにした広告情報を収納しておき、視聴者が図１や図２の方法によって地図画面にアクセスした時に、位置情報▲１９▼が広告用サーバー（リ）に送信され、同サーバーは受信した位置情報と広告にセットされた位置情報を比較して、予め決められたルールに従って広告を▲２０▼としてテレビ受像機に（ヌ）に自動的に送信することによって、広告効果の高いＣＭを流せることになる。【００３０】  なお、実施例において、請求項３に記載のサーバーに収納する位置情報と関係付けをした情報として天気予報と広告を例に挙げたが、観光施設や飲食店、あるいは防災関係など目的によって様々な情報を収納しておくことが考えられ、これらについても同様の手法を適用することが可能である。【００３１】  旅行計画などで地図を見た視聴者がその部分の地図をプリントアウトしたくなる事が考えられる。そこで、テレビ受像機に印刷の出力端子（オ）を付けておき、（ヌ）のテレビ受像機の画面で視聴者が▲１６▼の操作で印刷を選択すると当該部分��地図情報を▲２１▼として送信し、プリンター（ワ）で印刷できるようにしておくと便利である。また同様な方法で天気予報を印刷できても良い。【００３２】  なお、テレビ画面の印刷は地図に限らず、様々な画面を印刷したいというニーズはかなり多いはずである。そこでテレビのリモコン装置に印刷のボタンを予め付けておき、視聴者が好きな時にそのボタンを押すことによって画面のハードコピーが取れるようにしても良い。ところが、ただ単にテレビ受像機に印刷の出力端子を設けると何でも印刷できることになってしまい著作権等の問題で不都合である。ところがデジタル放送においては、テレビ受像機に対して放送内容に印刷の可否情報を併せて送信することができる。よって画面の印刷が不可の場合には、視聴者がリモコン装置の印刷ボタンを押しても、画面に印刷不可の表示がされ、印刷をできないようにすることができる。
【図面の簡単な説明】
【図１】通常のテレビ番組の位置情報から地図サイトを見る時の情報の流れを示す概念図である。
【図２】地図専門チャンネルによって地図を検索し、その部分の天気予報、広告情報を伝える時の情報の流れを示す概念図である。
【符号の説明】
（イ）  通常放送を行う放送局
（ロ）  地図サーバー
（ハ）  通常番組を受信状態のテレビ受像機
（ニ）  テレビのリモコン装置
（ホ）  地図画面に切り替わった状態のテレビ受像機
（ヘ）  地図を専門に扱う放送局
（ト）  地図サーバー
（チ）  天気予報サーバー
（リ）  広告用サーバー
（ヌ）  地図チャンネルを受信中のテレビ受像機
（ル）  テレビのリモコン装置
（ヲ）  テレビ画面の出力端子
（ワ）  プリンター
▲１▼  位置情報を付加したテレビ番組
▲２▼  位置情報を見る情報
▲３▼  テレビ受像機からの地図サーバーへの位置情報
▲４▼  位置情報によって選択された地域の地図情報
▲５▼  リモコン装置からの地図の拡大、縮小、スクロール情報
▲６▼  テレビ受像機から地図サーバーへの拡大、縮小、スクロール情報
▲７▼  地図サーバーからテレビへの拡大、縮小、スクロールされた地図情報
▲８▼  リモコン装置によってテレビを点け、地図チャンネルを選ぶ情報
▲９▼  地図チャンネル局からの地図検索ポータルサイト画面
▲１０▼  リモコン装置による検索したい場所の位置情報入力情報
▲１１▼  入力された位置情報を地図サーバーへ送信する流れ
▲１２▼  地図サーバーからテレビへの入力された地点の地図情報
▲１３▼  リモコン装置から地図サーバーへの地図の拡大、縮小、スクロール情報
▲１４▼  テレビ受像機から地図サーバーへの地図の拡大、縮小、スクロール情報
▲１５▼  地図サーバーからテレビ受像機への拡大、縮小、スクロールした地図情報
▲１６▼  リモコン装置からの天気予報や画面印刷の要求情報
▲１７▼  テレビ受像機から天気予報サーバーへの位置情報を付加した要求情報
▲１８▼  受信した位置情報から該当地域を選択して送られる天気予報情報
▲１９▼  テレビ受像機から広告用サーバーへの位置情報を付加した要求情報
▲２０▼  広告用サーバーからテレビ受像機への位置情報から選択した周辺広告情報
▲２１▼  テレビ画面からの印刷情報
【図１】
2008295001.tif 000003
【図２】
2008295001.tif 000004